(57)【要約】【課題】楽音に関して設定された内容を見易くすること。【解決手段】光を発して電子楽器１が発生する楽音に関して設定された内容を示している出力装置５、２２と、譜面台３が電子楽器本体２に取り付けられているかどうかを検出する譜面台センサ３１とを備えている。譜面台３が取り付けられているときの光の光量の最大値が、譜面台３が取り付けられていないときの光の光量の最大値と異なるように、出力装置５、２２は光を発する。このとき、電子楽器１は、譜面台３の有無に応じて、ユーザがその設定内容を見易くなるように、その設定内容を示すことができる。【選択図】図１
2008051911.tif 000002
【特許請求の範囲】
【請求項１】
光を発して本電子楽器が発生する楽音に関して設定された内容を示す出力装置と、
譜面台が電子楽器本体に取り付けられているかどうかを検出する譜面台センサとを具備し、
前記譜面台が取り付けられているときの前記光の光量の最大値は、前記譜面台が取り付けられていないときの前記光の光量の最大値と異なる
電子楽器。
【請求項２】
請求項１において、
ユーザに操作されることにより第１状態または第２状態のいずれかに切り換わるスイッチを更に具備し、
前記内容は、前記スイッチが前記第１状態であるときと前記スイッチが前記第２状態であるときとで異なり、
前記出力装置は、前記スイッチが前記第１状態であるときに点灯し、前記スイッチが前記第２状態であるときに消灯する発光装置を含む
電子楽器。
【請求項３】
請求項１または請求項２のいずれかにおいて、
前記出力装置は、前記内容を示す画面を表示するディスプレイを含む
電子楽器。
【請求項４】
請求項１〜請求項３のいずれかにおいて、
前記譜面台が取り付けられているときの前記光の光量の最大値は、前記譜面台が取り付けられていないときの前記光の光量の最大値より大きい
電子楽器。
【請求項５】
請求項１〜請求項４のいずれかにおいて、
前記出力装置が受ける照明光の照度を測定する照度センサを更に具備し、
前記照度が所定値より大きいときの前記光の光量の最大値は、前記照度が前記所定値より小さいときの前記光の光量の最大値と異なる
電子楽器。
【請求項６】
請求項５において、
前記照度が所定値より大きいときの前記光の光量は、前記照度が所定値より小さいときの前記光の光量より大きい
電子楽器。
【発明の詳細な説明】
【技術分野】
【０００１】
本発明は、電子楽器に関し、特に、楽音に関する設定を変更することができる電子楽器に関する。
【背景技術】
【０００２】
設定変更するためのスイッチを備える電子楽器が知られている。その電子楽器は、そのスイッチを用いて設定された内容に応じた楽音を発音する。そのスイッチは、ＬＥＤを備え、そのＬＥＤは、点灯し、または、消灯することにより、そのスイッチの状態を示している。そのスイッチの状態をよりわかりやすく演奏者に通知することが望まれている。
【０００３】
特開平０６−６７６６７号公報には、周囲の明るさに応じて照明の明暗を制御することができる電子楽器が開示されている。その電子楽器は、照明手段を有する電子楽器において、周囲の明るさを検出する照度検出手段と、前記照度検出手段の出力に基づいて前記照明手段の明るさを制御する制御手段を設けたことを特徴としている。
【０００４】
【特許文献１】特開平０６−６７６６７号公報
【発明の開示】
【発明が解決しようとする課題】
【０００５】
本発明の課題は、楽音に関して設定された内容を見易くする電子楽器を提供することにある。
【課題を解決するための手段】
【０００６】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００７】
本発明による電子楽器（１）は、光を発して本電子楽器（１）が発生する楽音に関して設定された内容を示している出力装置（５、２２）と、譜面台（３）が電子楽器本体（２）に取り付けられているかどうかを検出する譜面台センサ（３１）とを備えている。譜面台（３）が取り付けられているときの光の光量の最大値が、譜面台（３）が取り付けられていないときの光の光量の最大値と異なるように、出力装置（５、２２）は光を発する。このとき、電子楽器（１）は、譜面台（３）の有無に応じて、ユーザがその設定内容を見易くなるように、その設定内容を示すことができる。
【０００８】
本発明による電子楽器（１）は、ユーザに操作されることにより第１状態または第２状態のいずれかに切り換わるスイッチ（２１）をさらに備えている。その設定された内容は、スイッチ（２１）が第１状態であるときとスイッチ（２１）が第２状態であるときとで異なり、出力装置（２２）は、スイッチ（２１）が第１状態であるときに点灯し、スイッチ（２１）が第２状態であるときに消灯する発光装置（２２）を含んでいることが好ましい。出力装置（５、２２）は、その設定された内容を示している画面を表示しているディスプレイ（５）を含んでいることが好ましい。
【０００９】
譜面台（３）が取り付けられているときの光の光量の最大値は、譜面台（３）が取り付けられていないときの光の光量の最大値より大きいことが好ましい。
【００１０】
本発明による電子楽器（１）は、出力装置（５、２２）が受ける照明光の照度を測定する照度センサ（３２）をさらに備えている。照度が所定値より大きいときの光の光量の最大値は、照度が所定値より小さいときの光の光量の最大値と異なる。このとき、電子楽器（１）は、その照明光の照度に応じて、ユーザがその設定内容を見易くなるように、その設定内容を示すことができる。
【００１１】
その照度が所定値より大きいときの光の光量は、その照度がその所定値より小さいときの光の光量より大きいことが好ましい。
【発明の効果】
【００１２】
本発明による電子楽器は、楽音に関して設定された内容がユーザにとって見易く示されている。
【発明を実施するための最良の形態】
【００１３】
図面を参照して、本発明による電子楽器の実施の形態を記載する。その電子楽器１は、図１に示されているように、アップライトピアノと概ね同様の形状に形成され、電子楽器本体２と譜面台３とを備えている。譜面台３は、電子楽器本体２の上部に配置されている。電子楽器本体２は、パネル４とディスプレイ５と鍵盤６とスピーカ８とを備えている。
【００１４】
パネル４は、電子楽器本体２の上部の配置され、複数のスイッチを備えている。パネル４は、その複数のスイッチのうちの操作されたスイッチとそのスイッチの状態とを示す電気信号を電子楽器本体２に出力する。すなわち、ユーザは、パネル４を操作して情報を生成し、その情報を電子楽器本体２に入力する。
【００１５】
ディスプレイ５は、液晶ディスプレイから形成されている。その液晶ディスプレイは、バックライトと液晶パネルとを備えている。そのバックライトは、電子楽器本体２により指示された光量の光を発する。その液晶パネルは、複数の画素を備え、その複数の画素は、そのバックライトから発せられた光をさえぎったり透過させたりすることによって、電子楽器本体２により生成された画面を表示する。
【００１６】
鍵盤６は、電子楽器本体２の上部の概ね中央に配置され、複数の鍵を備えている。複数の鍵は、複数の白鍵と複数の黒鍵とから形成され、それぞれ、互いに異なる複数の音高に対応している。鍵盤６は、打鍵された鍵とその打鍵強度とを示す電気信号を電子楽器本体２に出力する。
【００１７】
スピーカ８は、電子楽器本体２により生成された電気信号を音に変換し、すなわち、電子楽器本体２により生成された楽音を発音する。
【００１８】
図２は、譜面台３を示している。譜面台３は、譜面台本体１１と突起１２とを備えている。譜面台本体１１は、譜面を支持するために用いられる。突起１２は、円柱に形成され、その底面の一方が譜面台本体１１の下部に接合されている。突起１２は、金属から形成されている。その金属としては、ステンレス鋼が例示される。なお、突起１２は、金属以外の材料で形成されることもできる。このとき、突起１２は、導体に被覆されている。図３は、電子楽器本体２を示している。電子楽器本体２は、上部に穴１４が形成されている。譜面台３は、突起１２が穴１４に挿入されて固定される。
【００１９】
図４は、パネル３が備えるスイッチを示している。そのスイッチ２１は、ＬＥＤ２２を備えている。スイッチ２１は、ユーザにより押下されるごとにオンとオフとを切り換える。ＬＥＤ２２は、電子楽器本体２により制御されて、電子楽器本体２により指示された光量で点灯し、または、消灯する。ＬＥＤ２２が発する光の光量を制御する方法としては、どのような方法が採用されてもよく、ＬＥＤ２２に流れる電流を変更する方法、ＬＥＤ２２の入力信号のデューティー比を変更する方法が例示される。そのデューティー比は、ＬＥＤ２２が点灯している期間に対するＬＥＤ２２に電流が流れる期間の比を示している。
【００２０】
電子楽器１は、図５に示されているように、譜面台センサ３１と照度センサ３２とスイッチ３３とをさらに備えている。
【００２１】
譜面台センサ３１は、２つの端子を備えている。その２つの端子は、それぞれ、穴１４の内部に挿入される物体に電気的に接触するように、穴１４の内部に配置されている。このとき、譜面台センサ３１は、その２つの端子が電流が流れるかどうかに基づいて、譜面台３の突起１２が電子楽器本体２の穴１４に挿入されているかどうかを検出することができる。すなわち、譜面台センサ３１は、その２つの端子が電流が流れるかどうかに基づいて、譜面台３が電子楽器本体２に取り付けられたかどうかを検出する。
【００２２】
なお、譜面台センサ３１は、その２つの端子を備えない他の譜面台センサに置換することもできる。その譜面台センサとしては、光センサ、スイッチが例示される。その光センサは、発光装置と受光装置とを備えている。その発光装置と受光装置とは、その発光装置から発せられる光をその受光装置が受光することができるように、穴１４の内部で互いに対向して配置されている。その光センサは、その発光装置から発せられる光をその受光装置が受光するかどうかに基づいて、譜面台３が電子楽器本体２に取り付けられたかどうかを検出する。そのスイッチは、穴１４の底に配置され、譜面台３の突起１２が電子楽器本体２の穴１４に挿入されたときにオンを出力し、譜面台３の突起１２が電子楽器本体２の穴１４に挿入されていないときにオフを出力する。そのスイッチは、そのオン／オフに基づいて、譜面台３が電子楽器本体２に取り付けられたかどうかを検出する。
【００２３】
照度センサ３２は、パネル４の周辺に配置されている。照度センサ３２は、パネル４に照射される光の照度を測定し、その照度を電子楽器本体２に出力する。
【００２４】
スイッチ３３は、ユーザにより操作されてオンまたはオフのいずれかを電子楽器本体２に出力する。
【００２５】
電子楽器本体２は、コンピュータであり、複数のコンピュータプログラムがインストールされている。図示されていないＣＰＵと記憶装置とを備えている。そのＣＰＵは、電子楽器本体２にインストールされるコンピュータプログラムを実行して、その記憶装置とパネル４とディスプレイ５と鍵盤６とスピーカ８と譜面台センサ３１と照度センサ３２とスイッチ３３とを制御する。その記憶装置は、そのコンピュータプログラムを記録し、そのＣＰＵにより生成される情報を一時的に記録する。
【００２６】
電子楽器本体２は、そのコンピュータプログラムである譜面台検出部３４と照度検出部３５と設定部３６と状態出力部３７と演奏部３８とがインストールされている。
【００２７】
譜面台検出部３４は、譜面台センサ３１を用いて、譜面台３が電子楽器本体２に取り付けられているかどうかを検出する。照度検出部３５は、照度センサ３２を用いて測定される照度が所定の照度より大きいか小さいかを判別する。
【００２８】
設定部３６は、スイッチ３３の状態に基づいてモードを切り換える。そのモードは、通常モードと自動調光モードとを含んでいる。たとえば、設定部３６は、スイッチ３３がオフであるときに通常モードを選択し、スイッチ３３がオンであるときに自動調光モードを選択する。
【００２９】
設定部３６は、さらに、パネル４の操作に基づいて設定内容を更新する。その設定内容は、パネル４が備える複数のスイッチとオン／オフとの対応付けに対応し、電子楽器１から発音される楽音に関し、たとえば、その楽音の音色を示している。
【００３０】
状態出力部３７は、設定部３６により更新された設定内容を示す画面を生成し、その画面をディスプレイ５に表示する。状態出力部３７は、さらに、パネル４が備える複数のスイッチのうちのオンであるスイッチ２１が備えるＬＥＤ２２を点灯させ、オフであるスイッチ２１が備えるＬＥＤ２２を消灯させる。
【００３１】
演奏部３８は、設定部３６により設定された内容と鍵盤６のうちの打鍵された鍵とその鍵の打鍵強度とに基づいて算出される楽音を示す電気信号を作成し、その電気信号をスピーカ８に出力して、その鍵が打鍵された直後にその楽音をスピーカ８から発音する。たとえば、その楽音の音色は、設定部３６により設定された内容に対応している。その楽音の音高は、鍵盤６のうちの打鍵された鍵に対応している。その楽音のエンベロープは、その打鍵された鍵の打鍵強度に対応している。
【００３２】
図６は、譜面台３の状態とパネル４に照射される照射光の光量とを光量に対応付けるテーブルを示している。そのテーブル４１は、電子楽器本体２の記憶装置に記録されている。テーブル４１は、譜面台３が電子楽器本体２に取り付けられ、かつ、その照射光が所定の光量より明るい状態を明るい光量に対応付けている。テーブル４１は、譜面台３が電子楽器本体２に取り付けられ、かつ、その照射光が所定の光量より暗い状態を中程度の光量に対応付けている。テーブル４１は、譜面台３が電子楽器本体２に取り付けられていないで、かつ、その照射光が所定の光量より明るい状態を中程度の光量に対応付けている。テーブル４１は、譜面台３が電子楽器本体２に取り付けられていないで、かつ、その照射光が所定の光量より暗い状態を暗い光量に対応付けている。
【００３３】
このとき、状態出力部３７は、テーブル４１を参照して、ディスプレイ５のバックライトの光量を制御し、ＬＥＤ２２の光量を制御する。すなわち、状態出力部３７は、設定部３６により自動調光モードが選択された場合で、譜面台３が電子楽器本体２に取り付けられ、かつ、その照射光が所定の光量より明るいときに、ディスプレイ５のバックライトを明るい光量で点灯させ、ＬＥＤ２２を明るい光量で点灯させる。状態出力部３７は、設定部３６により自動調光モードが選択された場合で、譜面台３が電子楽器本体２に取り付けられ、かつ、その照射光が所定の光量より暗いときに、ディスプレイ５のバックライトを中程度の光量で点灯させ、ＬＥＤ２２を中程度の光量で点灯させる。状態出力部３７は、設定部３６により自動調光モードが選択された場合で、譜面台３が電子楽器本体２に取り付けられていないで、かつ、その照射光が所定の光量より明るいときに、ディスプレイ５のバックライトを中程度の光量で点灯させ、ＬＥＤ２２を中程度の光量で点灯させる。状態出力部３７は、設定部３６により自動調光モードが選択された場合で、譜面台３が電子楽器本体２に取り付けられていないで、かつ、その照射光が所定の光量より暗いときに、ディスプレイ５のバックライトを暗い光量で点灯させ、ＬＥＤ２２を暗い光量で点灯させる。
【００３４】
状態出力部３７は、さらに、設定部３６により通常モードが選択されたときに、譜面台３の状態とパネル４に照射される照射光の光量とに無頓着に、ディスプレイ５のバックライトを所定の光量で点灯させ、ＬＥＤ２２を所定の光量で点灯させる。
【００３５】
電子楽器１の動作は、モードを切り換える動作と通常モードの動作と自動調光モードの動作とを備えている。モードを切り換える動作は、ユーザによりスイッチ３３が操作されたときに開始する。電子楽器１は、ユーザによりスイッチ３３がオフに切り換えられたときに、通常モードを選択する。電子楽器１は、ユーザによりスイッチ３３がオンに切り換えられたときに、自動調光モードを選択する。
【００３６】
通常モードの動作は、通常モードに切り換えられているときに実行される。電子楽器１は、譜面台３の状態とパネル４に照射される照射光の光量とに独立に、ディスプレイ５のバックライトを所定の光量で点灯させる。電子楽器１は、パネル４のスイッチ２１がオンに切り換えられたときに、ＬＥＤ２２を所定の光量で点灯させる。電子楽器１は、パネル４のスイッチ２１がオフに切り換えられたときに、ＬＥＤ２２を消灯させる。電子楽器１は、さらに、スイッチ２１のオン／オフに基づいて電子楽器１から発音される楽音に関する設定内容を更新する。電子楽器１は、さらに、その設定内容を示す画面を生成して、その画面をディスプレイ５に表示する。電子楽器１は、鍵盤６のうちの鍵が打鍵された直後に、その設定内容とその鍵とその鍵の打鍵強度とに基づいて算出される楽音をスピーカ８から発音する。
【００３７】
自動調光モードの動作は、自動調光モードに切り換えられているときに実行される。電子楽器１は、テーブル４１を参照して、ディスプレイ５のバックライトの光量を制御する。すなわち、電子楽器１は、譜面台３が電子楽器本体２に取り付けられ、かつ、その照射光が所定の光量より明るいときに、ディスプレイ５のバックライトを明るい光量で点灯させる。電子楽器１は、譜面台３が電子楽器本体２に取り付けられ、かつ、その照射光が所定の光量より暗いときに、ディスプレイ５のバックライトを中程度の光量で点灯させる。電子楽器１は、譜面台３が電子楽器本体２に取り付けられていないで、かつ、その照射光が所定の光量より明るいときに、ディスプレイ５のバックライトを中程度の光量で点灯させる。電子楽器１は、譜面台３が電子楽器本体２に取り付けられていないで、かつ、その照射光が所定の光量より暗いときに、ディスプレイ５のバックライトを暗い光量で点灯させる。
【００３８】
電子楽器１は、テーブル４１を参照して、ＬＥＤ２２の光量を制御する。すなわち、電子楽器１は、譜面台３が電子楽器本体２に取り付けられ、かつ、その照射光が所定の光量より明るい場合で、パネル４のスイッチ２１がオンに切り換えられたときに、ＬＥＤ２２を明るい光量で点灯させる。状態出力部３７は、譜面台３が電子楽器本体２に取り付けられ、かつ、その照射光が所定の光量より暗い場合で、スイッチ２１がオンに切り換えられたときに、ＬＥＤ２２を中程度の光量で点灯させる。状態出力部３７は、譜面台３が電子楽器本体２に取り付けられていないで、かつ、その照射光が所定の光量より明るい場合で、スイッチ２１がオンに切り換えられたときに、ＬＥＤ２２を中程度の光量で点灯させる。状態出力部３７は、譜面台３が電子楽器本体２に取り付けられていないで、かつ、その照射光が所定の光量より暗い場合で、スイッチ２１がオンに切り換えられたときに、ＬＥＤ２２を暗い光量で点灯させる。電子楽器１は、スイッチ２１がオフに切り換えられたときに、ＬＥＤ２２を消灯させる。
【００３９】
すなわち、電子楽器１は、自動調光モードであるときに、譜面台３が電子楽器本体２に取り付けられているかどうかと、パネル４に照射される照射光が所定の光量より明るいかどうかとによりディスプレイ５またはＬＥＤ２２から発せられる光の光量の最大値が制御されている。
【００４０】
電子楽器１は、さらに、スイッチ２１のオン／オフに基づいて電子楽器１から発音される楽音に関する設定内容を更新する。電子楽器１は、さらに、その設定内容を示す画面を生成して、その画面をディスプレイ５に表示する。電子楽器１は、鍵盤６のうちの鍵が打鍵された直後に、その設定内容とその鍵とその鍵の打鍵強度とに基づいて算出される楽音をスピーカ８から発音する。
【００４１】
たとえば、ディスプレイ５に表示されている画面は、周囲の明るさに比較して、暗すぎても明るすぎてもユーザにとって見にくい。ＬＥＤ２２は、周囲の明るさに比較して明るすぎるときに目障りであり、周囲の明るさに比較して暗すぎるときに点灯しているかどうかがわかりづらい。ユーザは、譜面を閲覧しながら電子楽器１を演奏するときに、譜面台３を取り付けて電子楽器１の周囲を明るくすることが多い。このため、電子楽器１によれば、ディスプレイ５に表示されている画面の明るさとＬＥＤ２２の明るさとは、周囲の明るさに応じて制御されて、ユーザは、ディスプレイ５に表示されている画面が見やすく、ＬＥＤ２２が点灯しているかどうかが見やすくなる。
【００４２】
なお、電子楽器１は、ディスプレイ５のバックライトの光量を変更すること以外の方法により、ディスプレイ５から発せられる光の光量の最大値を制御することもできる。たとえば、電子楽器１は、ディスプレイ５の液晶パネルを制御して、ディスプレイ５から発せられる光の光量の最大値を制御する。
【００４３】
本発明による電子楽器の実施の他の形態は、既述の実施の形態におけるテーブル４１が他のテーブルに置換されている。そのテーブルは、譜面台３が電子楽器本体２に取り付けられている状態を明るい光量に対応付け、譜面台３が電子楽器本体２に取り付けられていない状態を暗い光量に対応付けている。このとき、状態出力部３７は、そのテーブルを参照して、ディスプレイ５のバックライトの光量を制御し、ＬＥＤ２２の光量を制御する。すなわち、状態出力部３７は、設定部３６により自動調光モードが選択された場合で、譜面台３が電子楽器本体２に取り付けられているときに、ディスプレイ５のバックライトを明るい光量で点灯させ、ＬＥＤ２２を明るい光量で点灯させる。状態出力部３７は、設定部３６により自動調光モードが選択された場合で、譜面台３が電子楽器本体２に取り付けられていないときに、ディスプレイ５のバックライトを暗い光量で点灯させ、ＬＥＤ２２を暗い光量で点灯させる。状態出力部３７は、さらに、設定部３６により通常モードが選択されたときに、譜面台３の状態に無頓着に、ディスプレイ５のバックライトを所定の光量で点灯させ、ＬＥＤ２２を所定の光量で点灯させる。
【００４４】
ユーザは、譜面を閲覧しながら電子楽器を演奏するときに、譜面台３を取り付けて電子楽器の周囲を明るくすることが多い。このため、このような電子楽器によれば、ディスプレイ５に表示されている画面の明るさとＬＥＤ２２の明るさとは、周囲の明るさに応じて適切に制御され、ユーザは、ディスプレイ５に表示されている画面が見やすく、ＬＥＤ２２が点灯しているかどうかが見やすくなる。このような電子楽器は、さらに、照度センサ３２が不要である。
【図面の簡単な説明】
【００４５】
【図１】図１は、電子楽器の実施の形態を示す斜視図である。
【図２】図２は、譜面台を示す斜視図である。
【図３】図３は、電子楽器本体を示す斜視図である。
【図４】図４は、パネルのスイッチを示す平面図である。
【図５】図５は、電子楽器本体を示すブロック図である。
【図６】図６は、電子楽器の状態を光量に対応付けるテーブルを示す図である。
【符号の説明】
【００４６】
１  ：電子楽器
２  ：電子楽器本体
３  ：譜面台
４  ：パネル
５  ：ディスプレイ
６  ：鍵盤
８  ：スピーカ
１１：譜面台本体
１２：突起
１４：穴
２１：スイッチ
２２：ＬＥＤ
３１：譜面台センサ
３２：照度センサ
３３：スイッチ
３４：譜面台検出部
３５：照度検出部
３６：設定部
３７：状態出力部
３８：演奏部
４１：テーブル
【図１】
2008051911.tif 000003
【図２】
2008051911.tif 000004
【図３】
2008051911.tif 000005
【図４】
2008051911.tif 000006
【図５】
2008051911.tif 000007
【図６】
2008051911.tif 000008